(57)【要約】【課題】携帯時にはコンパクトで、使用時には使い勝手の良い携帯電話機を提供する。【解決手段】本発明に係る折り畳み式携帯電話機においては、表示とスピーカを有する表示ケースと、この表示ケースの一端部に回動可能に取り付けられ入力キー部を有する本体ケースと、この本体ケースの他端部に回動可能に取り付けられマイク部を有するマイクケースから成り、このマイクケースは中央部に開口部を有する枠形状に形成されており、マイクケースを本体ケース上に重ね合わせたときに、本体ケース上の入力キー部がマイクケースの開口部に挿入され、入力キー部上面がマイクケースの開口部から露出しキー入力が可能となる為、コンパクトで且つ操作性が良好となる。【選択図】  図１
2004159118.tif 000002
【特許請求の範囲】
【請求項１】
表示部およびスピーカ部が設けられた表示ケースと、
この表示ケースの一端部に回動可能に取り付けられ、少なくとも前面に入力キー部が設けられた本体ケースと、
一端部が前記本体ケースの他端部に回動可能に取り付けられ、少なくともマイク部が設けられたマイクケースとを備えたことを特徴とする通信機器。
【請求項２】
前記マイクケースは中央に開口部を有する枠形状に形成されており、前記マイクケースを前記本体ケース上に重ね合わせたときに、前記本体ケース前面の入力キー部が前記マイクケースの開口部内に挿入されることを特徴とする請求項１に記載の通信機器。
【請求項３】
更に、前記本体ケース内部には電子回路部が収納されており、前記マイク部は前記マイクケースの他端部側に配置され、前記マイク部と前記電子回路部とは配線ケーブルで電気的接続されていることを特徴とする請求項１に記載の通信機器。
【請求項４】
少なくとも表示部とスピーカ部を有する表示ケースと、
この表示ケースの一端部に回動可能に取り付けられ、少なくとも入力キー部およびマイク部を有する本体ケースと、
この本体ケースの他端部に回動可能に取り付けられ、外部音の入力用孔部を有すると共に、この入力用孔部から入力された外部音を前記マイク部迄伝達させる通路部が形成されたマイクケースとを備えたことを特徴とする通信機器。
【発明の詳細な説明】
【０００１】
【発明の属する技術分野】
本発明は、携帯性に優れた折り畳み式の通信機器に関する。
【０００２】
【従来の技術】
一般に、通信機器として利用されている携帯電話機は、電話機本体に表示および入力キー、スピーカ、マイクが設けられ、入力キーでキー操作することにより通常の通話ができるほか、インターネット上のホームページを閲覧したり文章等を電子メールで送受信できるようになっている。また、電話機としても大容量の電話番号メモリを設けたりカメラ機能を備えたりする等多機能化が進み、これに伴い部品点数が増加し機器全体が大型化して携帯性が悪くなるので、近年では携帯電話機の構造を折り畳み式に構成してコンパクト化を図ることが多くなっている。
【０００３】
このような折り畳み式の携帯電話機としては、入力キー部が設けられた本体ケースと表示部が設けられた表示ケースとを備え、これら本体ケースと表示ケースとを回動可能に取り付け、携帯するときに本体ケースと表示ケースとを互いに接近する方向に回動させて重ね合わせ、通話するときに本体ケースと表示ケースとを互いに離れる方向に回動させて開くように構成したものがある。この場合、本体ケースの先端側にはマイク部が設けられており、表示ケースの先端側にはスピーカ部が設けられていると共にアンテナ部が引き出し可能に設けられている。（例えば、特許文献１参照。）
【０００４】
【特許文献１】
特公平８−３２０８８号公報  （第４頁、第１図）
【０００５】
【発明が解決しようとする課題】
しかしながら、このような折り畳み式の携帯電話機では、小型化を進めることにより、表示ケースのスピーカと本体ケースのマイクの距離が人間の耳と口との距離よりも短くなる為、口とマイクが離れてマイクに音声が入りにくくなり使い勝手が悪いという問題点があった。また、最近ではマイクやスピーカ等を備えたＰＤＡ（パーソナル・デジタル・アシスタント）に通信カード等を装着して電話機能を持たせる様にすることも考えられているが、ＰＤＡ自体が小さい為同様にマイクに音声が入りにくいという欠点があった。
本発明の目的は、通話機能を有する通信機器において、形状の小型化が進んでもスピーカとマイクの距離を確保でき、使い勝手の良い通信機器を提供することである。
【０００６】
【課題を解決するための手段】
請求項１に記載の発明は、表示部およびスピーカ部が設けられた表示ケースと、
この表示ケースの一端部に回動可能に取り付けられ、少なくとも前面に入力キー部が設けられた本体ケースと、一端部が前記本体ケースの他端部に回動可能に取り付けられ、少なくともマイク部が設けられたマイクケースとを備えたことを特徴とする通信機器である。
このような構成とすれば、本体ケースに対し表示ケースおよびマイクケースを回動させて閉じると、夫々のケースが重なり合うので携帯する時にコンパクトになり、また本体ケースに対し表示ケースおよびマイクケースを回動させて開くとスピーカ部とマイク部の距離を確保でき、これにより使い勝手の良い携帯電話装置を得ることができる。
【０００７】
請求項２に記載の発明は、前記マイクケースは中央に開口部を有する枠形状に形成されており、前記マイクケースを前記本体ケース上に重ね合わせたときに前記本体ケース前面の入力キー部が前記マイクケースの開口部内に挿入されることを特徴とする請求項１に記載の通信機器である。
このような構成とすれば、マイクケースを本体ケース上に重ね合わせても入力キー部が操作できるため、メール等を送信するために文字などを入力する際操作性が良い。
【０００８】
請求項３に記載の発明は、更に、前記本体ケース内部には電子回路部が収納されており、前記マイク部は前記マイクケースの他端部側に配置され、前記マイク部と前記電子回路部とは配線ケーブルで電気的接続されていることを特徴とする請求項１に記載の通信機器である。
このような構成とすれば、本体ケースに対し表示ケースおよびマイクケースを回動させて開くとスピーカ部とマイク部の距離を確保でき、これにより使い勝手の良い通信機器を得ることができる。
【０００９】
請求項４に記載の発明は、少なくとも表示部とスピーカ部を有する表示ケースと、この表示ケースの一端部に回動可能に取り付けられ、少なくとも入力キー部およびマイク部を有する本体ケースと、この本体ケースの他端部に回動可能に取り付けられ、外部音の入力用開口部を有すると共に、この入力用開口部から入力された外部音を前記マイク部迄伝達させる通路部が形成されたマイクケースとを備えたことを特徴とする通信機器である。
このような構成とすれば、通話するときにマイクケースを折り畳んだ状態でも開いた状態でも本体ケースのマイクにより良好に通話することができる。
【００１０】
【発明の実施の形態】
以下、図１〜図６を参照して、本発明の通信機器の一実施形態について説明する。
図１は本発明による通信機器としての携帯電話機を開いた状態の斜視図、図２はその側面図、図３はその平面図、図４は図３のＡ−Ａ矢視における拡大断面図、図５は図１の携帯電話機のマイクケースを閉じた状態の斜視図、図６は図１の携帯電話機の折り畳んだ状態の側面図である。
【００１１】
図１において、本発明による携帯電話機は、表示ケース１、本体ケース２およびマイクケース３から構成されている。表示ケース１は例えば金属もしくは合成樹脂からなり、その中央部分内部には、文字または画像を表示する表示部４が配置され、表示部４の上方内部には、音声を出力するスピーカ部５が配置されている。また、前記表示ケース１の一端部にはヒンジ機構６が設けられ、他端部にはアンテナ部７が装着されている。ヒンジ機構６には、本体ケース２の一端部が回動可能に取り付けられている。本体ケース２は内部に通話機能やＥメール、ホームページの閲覧、ゲーム機能等を行わせる電子回路部１１（図４参照）を収納した本体部２ａと通話操作またはＥメールやゲーム等のアプリケーション機能操作をする為の多数のキー釦８からなる入力キー部２ｂを備えている。入力キー部２ｂは例えば文字や０〜９の数字を入力するダイヤルキーおよび複数の機能キーから構成されている。また、入力キー部２ｂ全体は図１及び図２に示すように本体部２ａから上側に突出しており、本体部２ａの外形よりやや小さくなっている。本体ケース２の他端部には、ヒンジ機構９を介してマイクケース３が回動可能に取り付けられている。マイクケース３は中央部が開口された枠形状に形成されており、その枠形状の下端部内部には音声を入力する為のマイク部１０が設けられている。マイク部１０は図３および図４に示すように、マイク１０ａとこのマイク１０ａに対向して設けられた外部音入力用開口部１０ｂとからなり、マイク１０ａは配線ケーブル１０ｃによりマイクケース３の枠形状通路を通って本体ケース２の内部のＬＳＩ等から構成される電子回路部１１が取り付けられた回路基板１２へ電気配線されている。
【００１２】
上記の構成において、先ずこの携帯電話機を携帯する場合には、図１に示した状態からヒンジ機構９を中心にマイクケース３を本体ケース２に対し内側に回動させて閉じる。すると、図５に示すようにマイクケース３の枠形状の開口部に本体ケース２上の入力キー部２ｂの外形部分が挿入される。次に、ヒンジ機構６を中心に表示ケース１を本体ケース２に対し内側に回動させて閉じる。すると、図６に示すように本体ケース２、マイクケース３、表示ケース１の順に重なり合う状態となり、機器全体がコンパクトになり良好に携帯することができる。この状態ではマイクケース３のマイク部１０が本体ケース２で覆われると共に、表示ケース１のスピーカ部５がマイクケース３上に重なって隠れる。この為携帯時にマイク部１０およびスピーカ部５が外部に露出することがないので、マイク部７およびスピーカ部５からゴミなどの塵埃が侵入するのを防ぐことができると共に、表示ケース１および本体ケース２、マイクケース３の内側表面を良好に保護することができる。
【００１３】
次に、この携帯電話機で通話する場合について説明する。図６に示した状態からヒンジ機構６を中心に表示ケース１を本体ケース２に対し回動させて図５の状態となるように開く。これにより表示ケース１のスピーカ部５と表示部４および本体ケース２上の入力キー部２ｂが露出する。更にヒンジ機構９を中心にマイクケース３を本体ケース２に対し回動させて開くと図１及び図２に示すようにマイク部１０が露出する。この状態で本体ケース２を顔の横に近づけて、表示ケース１のスピーカ部５を耳元に近づけると共に、マイクケース３のマイク部１０を口元に近づけることにより、良好に通話することができる。
【００１４】
更にメール等を送信する為に文字などを入力する場合には、図５に示すようにマイクケース３を本体ケース２に重なるよう折り畳み、マイクケース３の中央部の開口部に本体ケース２上の入力キー部２ｂの外形部を挿入させて、マイクケース３の枠形状の開口部から本体ケース２の入力キー部２ｂが露出された状態にする。その状態で文字等のキー入力操作が可能となり、マイクケース３が邪魔にならず操作性が良い。また、マイクケース３を本体ケース２に重なるよう折り畳んだ状態でも本体ケース２と同じ高さとなり、折り畳んだときの携帯電話機全体の厚みを薄くすることができる。
【００１５】
このように、この携帯電話機によれば、本体ケース２に対し表示ケース１およびマイクケース３を回動させて閉じると、夫々のケースが重なり合うので、携帯するときにコンパクトになり、また本体ケース２に対し表示ケース１およびマイクケース３を回動させて開くと、スピーカ部５とマイク部１０の距離を確保でき、これにより使い勝手の良い携帯電話装置を得ることができる。又、マイクケース３を本体ケース２上に重ね合わせても入力キー部２ｂが操作できるため、メールを送信する為に文字などを入力する際、操作性が良い。
【００１６】
次に本発明の第２の実施の形態について説明する。図７は第２の実施の形態の本体ケース２２及びマイクケース２３の平面図であり、図８は図７のＢ−Ｂ断面図である。この第２の実施の形態においては、マイクケース２３には第１の実施の形態と異なり開口部が形成されておらず、図８に示すように内部が中空の音声通路部となっており、また、下端部に外部音入力用の孔部２３ａが形成されている。一方、本体ケース２２には下端部のヒンジ機構２９にマイク１０ａが配置されると共に、ヒンジ機構２９には前記マイクケース２３の内部の中空に面して孔部２９ａが形成され、この孔部２９ａより上方に孔部２９ｂが形成されている。
従って、この第２の実施の形態においては、マイクケース２３を開いた状態では孔部２３ａから入力された音声がマイクケース２３の中空通路部及びヒンジ機構２９の孔部２９ａを介してマイク１０ａに伝達される。またマイクケース２３を閉じた状態ではヒンジ部２９の孔部２９ｂから入力される音声がマイク１０ａに伝達されるもので、マイクケース２３が開状態または閉状態の何れかであっても通話が可能となるものである。
【００１７】
なお、上記実施形態では通信機器として携帯電話機に適用した場合について述べたが、これに限らず、通話機能を備えた携帯型情報機器、例えば通話機能付きのＰＤＡ（パーソナル・デジタル・アシスタント）、ハンディターミナル、などに広く適用することができる。
【００１８】
【発明の効果】
以上説明したように、この発明によれば、本体ケースに対し表示ケースおよびマイクケースを回動させて閉じると夫々のケースが重なり合うので携帯するときにコンパクトになり、また、本体ケースに対し表示ケースおよびマイクケースを回動させて開くとスピーカとマイクとの距離を確保でき、これにより使い勝手の良い通信機器を得ることができる。また、マイクケースを本体ケース上に重ね合わせても入力キーが操作できる為、文字などを入力する際、極めて操作性が良いものである。
【図面の簡単な説明】
【図１】本発明を適用した携帯電話機の開いた状態を示す斜視図。
【図２】図１の携帯電話機の側面図。
【図３】図１の携帯電話機の平面図。
【図４】図３の携帯電話機のＡ−Ａ断面拡大図。
【図５】本発明の携帯電話機のマイクケースを閉じた状態の斜視図。
【図６】図１の携帯電話機の閉じた状態を示す側面図。
【図７】第２の実施の形態のマイクケースの平面図。
【図８】図７のＢ−Ｂ断面拡大図。
【符号の説明】
１  表示ケース
２、２２  本体ケース
２ａ  本体部
２ｂ  入力キー部
３、２３  マイクケース
４  表示部
５  スピーカ部
６、９、２９  ヒンジ機構
７  アンテナ部
８、２８  キー釦
１０  マイク部
１０ａ  マイク
１０ｂ  入力用開口部
１０ｃ  配線ケーブル
１１  電子回路部
１２  回路基板
２３ａ、２９ａ、２９ｂ  孔部
【図１】
2004159118.tif 000003
【図２】
2004159118.tif 000004
【図３】
2004159118.tif 000005
【図４】
2004159118.tif 000006
【図５】
2004159118.tif 000007
【図６】
2004159118.tif 000008
【図７】
2004159118.tif 000009
【図８】
2004159118.tif 000010